(57)【要約】【課題】  ＡＣＱのフェーズ２ではユーザ毎の印刷上限管理機能を実装する。印刷上限値を超えそうなジョブに対し、ドライバでどのような処理（ページカウント、ユーザへの通知）を行なうべきかが課題である。【解決手段】  ユーザ毎に印刷上限枚数を管理する印刷制御システムであって、  管理サーバーには、上限値管理手段、処理指定手段、許可チケット発行手段を設け、  プリンタドライバには、上限値取得手段、印刷ページ数カウント手段、上限値チェック手段、上限値オーバー時の処理選択手段を設ける。  前記カウント手段は、逐次カウントと一括カウントがあり、上限値オーバー時の処理は全キャンセルやＮｕｐへの縮小印刷処理がある。【選択図】  図１
2008176717.tif 000002
【特許請求の範囲】
【請求項１】
ユーザの印刷指示に基づき上位アプリケーションより入力される印刷対象データから印刷データの生成および送信を行なうクライアントＰＣと、ユーザの印刷可能上限枚数を管理しユーザの印刷を許可する印刷チケットを発行する印刷チケット発行サーバと、前記クライアントＰＣから送信される印刷データを受信し印刷出力する印刷装置により構成される印刷システムにおいて、
前記印刷チケット発行サーバは、
ユーザの印刷許可上限枚数を管理する印刷上限値管理手段と、
ユーザの印刷実績値を取得する印刷実績値取得手段と、
前記印刷許可上限枚数および前記印刷実績値に基づき、印刷可能枚数を算出する印刷可能枚数算出手段と、
前記クライアントＰＣからの印刷チケット要求に対し前記印刷可能枚数算出手段の結果に基づき、該当ユーザの印刷チケットを発行する印刷チケット発行手段を有し、
前記クライアントＰＣは、
印刷を行なう際、前記印刷チケット発行サーバより印刷チケットを入手する印刷チケット入手手段と、
前記印刷チケットより印刷可能枚数を取得する印刷可能枚数取得手段と、
前記印刷データの印刷枚数をカウントするカウント手段と、
前記印刷可能枚数および前記印刷枚数に基づき印刷処理動作を判別する処理判別手段を有し、
前記印刷装置は、
前記クライアントＰＣから送られた印刷データで印刷出力した枚数を記憶する出力枚数記憶手段と、
前記印刷チケット発行サーバへ前記出力枚数を送信する出力枚数送信手段を有することを特徴とする印刷システム。
【請求項２】
前記印刷チケット発行手段は、さらに印刷ドキュメントのページ数が印刷可能枚数を超えたときの処理指定手段を有することを特徴とする請求項１記載の印刷システム。
【請求項３】
前記処理指定手段は、印刷ドキュメントのページ数が印刷可能枚数を超えたとき、超えた分の印刷を許可するかしないかを指定することを特徴とする請求項２記載の印刷システム。
【請求項４】
前記カウント手段は、アプリケーションからの印刷対象データから逐次印刷データ生成し、1ページ分の印刷データ生成が終わるごとにページカウントを行なうことを特徴とする請求項１乃至３記載の印刷システム。
【請求項５】
前記カウント手段は、アプリケーションからの印刷対象データを印刷データに変換する前に、その印刷ジョブの全ての印刷対象データを一旦スプールし、全ページ数をカウントすることを特徴とする請求項１乃至３記載の印刷システム。
【請求項６】
前記印刷可能枚数が所定値以下か否かを判別し、所定値以下の時のみページカウントを行なうことを特徴とする請求項５記載の印刷システム。
【請求項７】
前記処理判別手段はさらに、前記印刷可能枚数より前記印刷枚数の方が大きいとき、印刷処理を選択させる選択手段を有することを特徴とする請求項１記載の印刷システム。
【請求項８】
前記選択手段は、少なくとも、前記印刷可能枚数分のみ印刷し残りは印刷しないか、あるいは全てのページを印刷しないか、あるいは印刷可能枚数に収まるよう印刷データを加工するか、の一つの選択肢を含むことを特徴とする請求項７記載の印刷システム。
【請求項９】
前記印刷データの加工は、１ページ内に複数ページ分のデータを縮小印刷することを特徴とする請求項８記載の印刷システム。
【発明の詳細な説明】
【技術分野】
【０００１】
本発明は、ユーザごとに印刷上限値を設定し、印刷の上限管理を行なう印刷システムに関するものである。
【背景技術】
【０００２】
従来、プリンタにおける各ユーザの使用権限および使用状況は、セキュアなデータベースで管理され、印刷要求時にその要求内容とデータベースの情報に基づき、印刷の許可、不許可が決定されている（例えば、特許文献１参照）。
【特許文献１】特開平10-161823号公報
【発明の開示】
【発明が解決しようとする課題】
【０００３】
しかしながら、上述した従来の技術では、印刷上限値を超えたときの印刷処理については、印刷を許可しないというだけであり、印刷を可能にするための他の手段が提供されていないという問題があった。
【課題を解決するための手段】
【０００４】
上述した課題を解決するために、本発明は、ユーザの印刷指示に基づき上位アプリケーションより入力される印刷対象データから印刷データの生成および送信を行なうクライアントＰＣと、ユーザの印刷可能上限枚数を管理しユーザの印刷を許可する印刷チケットを発行する印刷チケット発行サーバと、前記クライアントＰＣから送信される印刷データを受信し印刷出力する印刷装置により構成される印刷システムにおいて、前記印刷チケット発行サーバは、ユーザの印刷許可上限枚数を管理する印刷上限値管理手段と、ユーザの印刷実績値を取得する印刷実績値取得手段と、前記印刷許可上限枚数および前記印刷実績値に基づき、印刷可能枚数を算出する印刷可能枚数算出手段と、前記クライアントＰＣからの印刷チケット要求に対し前記印刷可能枚数算出手段の結果に基づき、該当ユーザの印刷チケットを発行する印刷チケット発行手段を有し、前記クライアントＰＣは、印刷を行なう際、前記印刷チケット発行サーバより印刷チケットを入手する印刷チケット入手手段と、前記印刷チケットより印刷可能枚数を取得する印刷可能枚数取得手段と、前記印刷データの印刷枚数をカウントするカウント手段と、前記印刷可能枚数および前記印刷枚数に基づき印刷処理動作を判別する処理判別手段を有し、前記印刷装置は、前記クライアントＰＣから送られた印刷データで印刷出力した枚数を記憶する出力枚数記憶手段と、前記印刷チケット発行サーバへ前記出力枚数を送信する出力枚数送信手段を有することを特徴とする。
【０００５】
また、前記印刷チケット発行手段は、さらに印刷ドキュメントのページ数が印刷可能枚数を超えたときの処理指定手段を有することを特徴とする。
【０００６】
また、前記処理指定手段は、印刷ドキュメントのページ数が印刷可能枚数を超えたとき、超えた分の印刷を許可するかしないかを指定することを特徴とする。
【０００７】
また、前記カウント手段は、アプリケーションからの印刷対象データから逐次印刷データ生成し、1ページ分の印刷データ生成が終わるごとにページカウントを行なうことを特徴とする。
【０００８】
また、前記カウント手段は、アプリケーションからの印刷対象データを印刷データに変換する前に、その印刷ジョブの全ての印刷対象データを一旦スプールし、全ページ数をカウントすることを特徴とする。
【０００９】
また、前記印刷可能枚数が所定値以下か否かを判別し、所定値以下の時のみページカウントを行なうことを特徴とする。
【００１０】
また、前記処理判別手段はさらに、前記印刷可能枚数より前記印刷枚数の方が大きいとき、印刷処理を選択させる選択手段を有することを特徴とする。
【００１１】
また、前記選択手段は、少なくとも、前記印刷可能枚数分のみ印刷し残りは印刷しないか、あるいは全てのページを印刷しないか、あるいは印刷可能枚数に収まるよう印刷データを加工するか、の一つの選択肢を含むことを特徴とする。
【００１２】
また、前記印刷データの加工は、１ページ内に複数ページ分のデータを縮小印刷することを特徴とする。
【発明の効果】
【００１３】
以上により、クライアントＰＣ上にて印刷上限制御を行いながら、印刷パフォーマンスの低下を最小限に留め、また所定値を超えた際、その旨を表示し、また後の処理を選択可能とすることにより、ユーザが意図しない印刷を回避することができる。
【発明を実施するための最良の形態】
【００１４】
（実施例１）
以下、添付図面に従って本発明に係わる実施例を詳細に説明する。
【００１５】
図１は、本発明の特徴を最もよく表わす図面であり、同図において１は後述する本発明の印刷システムにおけるクライアントＰＣ本体であり、後述する印刷チケット発行サーバおよびプリンタとはネットワーク接続されている。２はアプリケーションであり、データの生成や編集加工などを行ない、印刷開始時には印刷すべきデータを印刷処理部へ渡す役割をもつものである。３はユーザインタフェース部でユーザがプリンタに対しての用紙サイズ、両面指定、印刷解像度、印刷階調など各種印刷設定等を入力したり、印刷開始指示を入力するためのユーザインタフェース部である。４は画像を表示するための表示部で印刷データのプレビュー表示を行う。５は印刷設定制御部で印刷するための各種設定を制御するもので、さらにユーザが入力した各種印刷設定と後述する印刷チケット発行サーバから取得する印刷可能上限値情報との条件照合結果から印刷設定を変更あるいは調整する印刷設定処理部６と、印刷データが何ページであるかを逐次カウントし、あるいは印刷データ生成前に印刷ジョブが何ページであるかをカウントするページカウント処理部７と、後述する印刷チケット発行サーバから取得する印刷可能上限値情報との条件照合等を行なう印刷チケット処理部８がある。また、印刷チケット処理部では、印刷可能枚数を超えたときの処理方法、例えば、ジョブの途中で超えた場合そのジョブの印刷までは許す、あるいは超えた時点以降の印刷は許さないといった処理制御も行なう。９は印刷ジョブ生成部で、アプリケーションから指定される印刷データを受け、プリンタに送信する印刷ジョブを生成する印刷ジョブ生成部である。この印刷ジョブ生成部には、アプリケーションから入力された印刷データを解析する印刷データ解析部１０と、後述するプリンタ用のPDLデータを生成する印刷データ生成部１１と、プリンタの印刷状態を取得したり、PDLデータをプリンタと送受信するためのコマンド全体を制御する印刷コマンド制御部１２がある。１３はネットワーク接続により印刷チケット発行サーバあるいはプリンタとのデータ送受信を行なうデータ送受信部である。
【００１６】
１４は印刷チケット発行サーバであり、接続されたクライアントＰＣ１からのユーザごとの印刷チケット発行要求に基づき、印刷可能上限値情報を含む印刷チケットの発行処理を行なう。印刷チケット発行サーバ１４には、さらにネットワーク接続されたクライアントＰＣ１とデータ送受信を行なうためのデータ送受信部１５と、ユーザごとに割り当てられた印刷上限値情報を管理する印刷上限値管理部１６と、後述するプリンタ２０から定期的にユーザごとの印刷実績値を収集し管理する印刷実績値管理部１７と、印刷上限値情報と印刷実績値情報との差分により印刷チケットを要求したユーザの印刷可能枚数を算出する印刷可能枚数算出部１８と、クライアントＰＣからの印刷チケット発行要求に対して印刷可能上限値情報を含む印刷チケット生成および発行処理を行なう印刷チケット発行処理部１９がある。
【００１７】
２０はプリンタであり、接続されたクライアントＰＣ１からの指示に応じた印刷処理あるいは印刷状態の応答等を行ない、また接続された印刷チケット発行サーバ１４からの印刷実績値要求への応答等を行なう。プリンタ２０には、さらにネットワーク接続されたクライアントＰＣ１および印刷チケット発行サーバ１４とデータ送受信を行なうためのデータ送受信部２１と、データ送受信部２１で受信した印刷チケットを処理するための印刷チケット処理部２２と、データ送受信部２１で受信したデータを解析しまたプリンタの処理状態をコマンド形式にしてデータ送受信部２１を介してクライアントＰＣ１送信するためのデータ生成を行なうための印刷装置制御部２３がある。また、後述する出力部２５で出力したページ数を、印刷データに付加されてクライアントＰＣ１から送られてくるユーザ情報と関連付けて管理記憶しており、印刷チケットサーバ１４からの印刷実績値要求の際には、ユーザ情報および印刷済みページをデータ送受信部２１を介して、応答する処理を行なう。２４は印刷ページデータ処理部で、クライアントＰＣ１より送信された印刷データを解析し、排紙コードにより最終印刷画像生成までを行う。２５は出力部で、印刷ページデータ処理部で生成された印刷データの出力制御を行ない、印刷出力を行う。
【００１８】
図２は、本発明の実施例のクライアントＰＣ、印刷チケット発行サーバ、プリンタの動作を示す図である。同図において、印刷開始時にまずクライアントＰＣから印刷チケット発行サーバに対し、印刷ユーザに与えられた印刷チケットの発行要求を行なう。印刷チケットに含まれる情報として、印刷可能ページ数の上限値、カラー印刷の可不可、片面印刷の可不可、面付け設定が単ページ可能か２up指定か、等が含まれる。
【００１９】
印刷チケット発行サーバでは、定期的に接続された管理対象プリンタに対し印刷実績値の要求を行い、それぞれの要求に対する印刷実績値の返信の受け取りを行なうことで、ユーザごとの印刷実績値の管理を行なっている。図２ではプリンタＡ、プリンタＢおよびプリンタＣの各プリンタから実績値の収集を行なっている。また、クライアントＰＣからの印刷チケット要求に対し、まずユーザの認証を行なうことでユーザを確定し、そのユーザに許可された印刷上限枚数値および印刷実績値を取り出し、その差分を求めることにより現時点の印刷可能枚数を算出する。続いて、この印刷可能枚数を超えてしまった時の印刷処理方法についての設定情報を取り出し、それらを付加した形で印刷チケットの作成を行い、クライアントＰＣに印刷チケットの発行を行なう。印刷可能枚数を超えてしまった時の印刷処理方法としては、そのジョブについては全ページ印刷を許可するか、あるいは超過分の印刷は一切許可しないという処理がある。
【００２０】
クライアントＰＣでは、印刷実行時に印刷チケット発行サーバから印刷チケットを受け取り、印刷データ生成を行いながら印刷チケットで許可された印刷上限値を超えないかをチェックしながら印刷データの生成を行なう。印刷上限値を超えないかのチェックは、印刷データを生成するページ単位に行なったり、あるいは印刷データ生成を行なう前にあらかじめ全ページデータを走査してページ数を数えてしまうこともある。前者の場合は、印刷処理を行いながらの判別なので、印刷スループットの低下は回避可能であるが、印刷ジョブの途中で上限値を超えてしまった場合、それ以前のジョブデータは何らかの印刷処理が進んでいる段階であり、以後の処理の選択において選択枝が少なくなる。一方後者の判別は、まず全印刷データをチェックするため、データのスプール処理等が発生し、またすぐに印刷データ生成を行なえないので、印刷スループットは低下してしまう。しかし、印刷処理前に上限値を超えるかのチェックを行なうことで、上限値を超えてしまった時の処理の選択枝は多いというメリットがある。例えば、印刷ジョブの途中までしか印刷できないドキュメントは全く印刷させないといったことも可能となる。このどちらの方法で判別するかについては、あらかじめ決定されているか、印刷時にユーザが任意に選択可能とするか、あるいは印刷チケット発行サーバ側で決定させ、印刷チケットに付加してもらう方法等が考えられる。クライアントＰＣで生成した印刷データは、逐次、印刷指定先であるプリンタにデータが送信される。また、印刷上限値チェックで印刷上限値を超えると判断された場合、印刷チケットで指定された方法に従い以後の印刷処理を行なう。
【００２１】
プリンタでは、印刷データを受け取り、データに従った印刷処理を行なう。印刷後は、ユーザごとに印刷したページ数を実績値として更新し、印刷チケットサーバからの印刷実績値要求時には、ユーザごとの印刷実績値を返信する。以上が、クライアントＰＣ、印刷チケット発行サーバおよびプリンタを含めたシステム全体の動作である。
【００２２】
図３乃至図６は、上述した本実施例のフローチャートである。このフローチャートに従って、本実施例の動作を説明する。
【００２３】
図３は、本発明の実施例の印刷チケット発行サーバ１４の制御手順を示すフローチャートで、ステップＳ３０１でクライアントＰＣ１から印刷チケット発行要求およびそのユーザの情報を受け取り、ステップＳ３０２で印刷チケット発行要求者の認証を行なう。ここでの認証は、クライアントＰＣ上でユーザがログオンしユーザ認証済みであることを示す情報をクライアントＰＣ上のＯＳから受け取ることでユーザ認証済みか否かを判別する。この判別で、ユーザ認証済みであれば、ステップＳ３０３で、印刷上限値管理部１６から印刷許可上限枚数を取得し、ステップＳ３０４で印刷実績値管理部１７から印刷チケット発行要求元のユーザの印刷実績値を取り出し、ステップＳ３０５で印刷可能枚数算出部１８により印刷許可上限値と印刷実績値の差分により印刷可能枚数の算出を行なう。次に、ステップＳ３０６で、印刷上限値を超えたときの処理指定情報を取得する。ここでの処理指定として、途中で上限値を超えるジョブについてそのジョブを最後まで印刷を許可するか、あるいは上限値までしか許可しないかが指定されている。次にステップＳ３０７で、印刷チケット発行部１９により、印刷可能枚数および上限値オーバー時の処理指定情報を含む印刷チケットの生成を行い、ステップＳ３０８で印刷チケット要求元のクライアントＰＣに対し、印刷チケットの発行処理を行ない、処理を終了する。一方、ステップＳ３０２の判別で、ユーザ認証に失敗したときは、ステップＳ３０９で、ユーザ認証に失敗し、印刷チケットを発行出来ない旨の通知を、印刷チケット要求元であるクライアントＰＣに対して送る。
【００２４】
以上が、本発明の実施例における印刷チケット発行サーバでの印刷チケット発行処理である。
【００２５】
図４は、クライアントＰＣ１の印刷設定制御部５および印刷ジョブ制御部９の処理動作の一部である印刷データ生成処理を示すフローチャートで、印刷データを逐次生成送信しながら、印刷ページカウントを行う時のもので、まずステップＳ４０１で、印刷チケット発行サーバ１４より印刷チケットを入手し、印刷チケット内に記述されている印刷可能枚数を取得し、ステップＳ４０２で、アプリケーション２から印刷データを逐次受け取り、印刷ジョブ生成部９にてプリンタ２０の印刷データ形式に変換し、データ送受信部１３より、プリンタ２０へデータ送信を行う。次にステップＳ４０３で印刷ジョブ終了か否かを判別し、ジョブ終了でなければ、ステップＳ４０４で印刷可能枚数を超えてないかをチェックし、超えていなければステップＳ４０２へ戻り、超えていればステップＳ４０５で、印刷チケット内に記述されている印刷可能枚数を超えたときの処理方法により、印刷可能枚数を超えてもそのジョブについては全ページ印刷が許可されているか、あるいは超えたページ以降の印刷は許可しないかを判別する。この判別で、全ページ印刷が許可されている、すなわち印刷上限の緩和印刷設定であれば、ステップＳ４０２に戻り、緩和印刷設定でなければ、ステップＳ４０６で以降のページの印刷はキャンセルする旨、表示部４により表示し、以降の印刷データを破棄して、処理を終了する。一方、ステップＳ４０３の判別でジョブ終了と判別すれば、ステップＳ４０７で印刷可能枚数をオーバーしての印刷であったか否かを判別し、オーバーしていなかったら処理を終了し、オーバーしていたらステップＳ４０８で、印刷可能枚数をオーバーした上での印刷であった旨、ユーザに通知し、処理を終了する。
【００２６】
以上が、本発明の実施例におけるクライアントＰＣでの印刷データを逐次生成送信しながら、印刷ページカウントを行う時の印刷データ生成処理である。
【００２７】
図５は、クライアントＰＣ１の印刷設定制御部５および印刷ジョブ制御部９の処理動作の一部である印刷データ生成処理を示すフローチャートで、印刷ページカウント後、印刷処理を行なう時のもので、まずステップＳ５０１で、印刷チケット発行サーバ１４より印刷チケットを入手し、印刷チケット内に記述されている印刷可能枚数を取得し、ステップＳ５０２で、印刷可能枚数が所定値（例えば１００枚）以下か否かを判別する。所定値は、あらかじめ印刷設定制御部５内で設定されていたり、あるいはユーザインタフェース部３から設定可能にしたり、あるいは印刷チケット内で設定される等が考えられる。ステップＳ５０２の判別で所定値以下であれば、ステップＳ５０３でアプリケーション２からの印刷データを一旦スプールし、何ページの印刷になるかをページカウント処理部７によりカウントし、ステップＳ５０４で印刷可能枚数とページカウントを比較し、ページカウントの方が大きければ、ステップＳ５０５で、ユーザインタフェース部３を介して、印刷可能枚数分まで印刷を行なうか、ジョブ全体をキャンセルするか、あるいはＮｕｐ印刷（１ページ内にＮページ分縮小印刷する）かを選択させ、この選択で印刷可能枚数分まで印刷を行なう指定であれば、ステップＳ５０６で印刷ジョブ生成部９により印刷可能枚数分の印刷データ生成を行い、データ送受信部１３を介して、プリンタ２０へデータ送信を行い、残りのページについては印刷データを破棄し、上限値を超えた分の印刷をキャンセルした旨の表示等ユーザへの通知を行い、処理を終了する。また、ステップＳ５０５の判別で、ジョブ全体をキャンセルする指定であれば、ステップＳ５０７で全ページの印刷データを破棄し、印刷ジョブ全体をキャンセルした旨の表示等ユーザへの通知を行い、処理を終了する。また、ステップＳ５０５の判別で、Ｎｕｐ印刷指定であればステップＳ５０８で印刷可能枚数に収まるよう１ページに何ページ分の印刷データを詰め込むかを決定し、それに従ったＮｕｐ印刷を行い、強制的にＮｕｐ印刷を行なった旨の表示等ユーザへの通知を行い、処理を終了する。一方、ステップＳ５０２の判別で印刷可能枚数が所定値以下でなければ、ステップＳ５０９で印刷上限値によらない通常印刷処理を行い、処理を終了する。また、ステップＳ５０４の判別で、印刷可能枚数の方が大きければ、ステップＳ５０９の処理を行なう。
【００２８】
以上が、本発明の実施例におけるクライアントＰＣでの、印刷ページカウント後、印刷処理を行なう時の印刷データ生成処理である。
【００２９】
図６は、本発明の実施例におけるプリンタ２０の印刷動作の一部を示すフローチャートで、ステップＳ６０１で、データ送受信部２１を介してデータを受信し、ステップＳ６０２で受信データが印刷データか、印刷済み枚数問い合わせかを判別し、印刷データであれば、ステップＳ６０３で、印刷データの解析処理を行い、ステップＳ６０４でイメージ生成を行ない、ステップＳ６０５で印刷出力を行ない、ステップＳ６０６で印刷データに記述されたユーザ別の印刷枚数を更新記録し、処理を終了する。一方、ステップＳ６０２の判別で、印刷済み枚数問い合わせであれば、ステップＳ６０７で、ユーザ別の印刷枚数実績データを集計し、データ送受信部２１を介して返信し、処理を終了する。
【００３０】
以上が、本発明の実施例におけるプリンタの印刷処理動作である。
【図面の簡単な説明】
【００３１】
【図１】本発明の実施例の印刷システム全体構成を示す図。
【図２】本発明の実施例のクライアントＰＣ、印刷チケット発行サーバ、プリンタの動作を示す図。
【図３】本発明の実施例の印刷チケット発行サーバの制御手順を示すフローチャート。
【図４】本発明の実施例のクライアントＰＣの制御１手順を示すフローチャート。
【図５】本発明の実施例のクライアントＰＣの制御２手順を示すフローチャート。
【図６】本発明の実施例のプリンタの制御手順を示すフローチャート。
【符号の説明】
【００３２】
１  クライアントＰＣ
２  アプリケーション
３  ユーザインタフェース部
４  表示部
５  印刷設定制御部
６  印刷設定処理部
７  ページカウント処理部
８  印刷チケット処理部
９  印刷ジョブ生成部
１０  印刷データ解析部
１１  印刷データ生成部
１２  印刷コマンド制御部
１３  データ送受信部
１４  印刷チケット発行サーバ
１５  データ送受信部
１６  印刷上限値管理部
１７  印刷実績値管理部
１８  印刷可能枚数算出部
１９  印刷チケット発行処理部
２０  プリンタ
２１  データ送受信部
２２  印刷チケット処理部
２３  印刷装置制御部
２４  印刷ページデータ処理部
２５  出力部
【図１】
2008176717.tif 000003
【図２】
2008176717.tif 000004
【図３】
2008176717.tif 000005
【図４】
2008176717.tif 000006
【図５】
2008176717.tif 000007
【図６】
2008176717.tif 000008